(57)【特許請求の範囲】
【請求項１】
センターボードを両側から挟んでフロントハウジングとバックハウジングを固定して組立ててなる光コネクタ接続用アダプタにおいて、先端に、側面略截頭円錐形状にして、かつ直径方向に縦長溝を形成して径方向にばね性を与えた係合頭部を一体に設けた複数の止め金具を、その基端をフロントハウジングに固定して立設し、前記止め金具を挿入してセンターボードをフロントハウジングとで挟み込むバックハウジングに貫通形成した止め金具挿入孔の開口部近くの内面に、前記係合頭部と係合する係合段部を設けてなることを特徴とする光コネクタ接続用アダプタ。
【発明の詳細な説明】
【０００１】
【発明の属する技術分野】
本発明は、両側から光コネクタを嵌合して、その接続を補助する光コネクタ接続用アダプタに関する。
【０００２】
【従来の技術】
従来、光コネクタ接続用アダプタには、図７に示したように、フロントハウジングａに下端を固定して立設した二個一対の止め金具ｂ、ｂをセンターボードｃと、バックハウジングｄに挿通して上記センターボードｃを両側から挟み、上記フロントハウジングａとバックハウジングｄを、上記止め金具ｂ、ｂの先端にねじｅを螺合して締め付け固定して組立ててなるものが知られている。
なお、図７において、ｆは図示しない光コネクタの嵌合孔を示す。
【０００３】
【発明が解決しようとする課題】
しかし乍ら、上記した従来の光コネクタ接続用アダプタは、センターボードｃ及びバックハウジングｄに挿通した止め金具ｂ、ｂ先端にねじｅを螺合する際、該ねじｅは、例えば、Ｍ１、Ｍ２等と非常に小さいため、螺合しにくく、また、落下しやすい等の不都合がある。
【０００４】
【目的】
本発明は、上記した従来の光コネクタ接続用アダプタが有するこのような問題点に鑑みてなされたもので、フロントハウジングに固定立設した止め金具を、センターボード及びバックハウジングの挿入孔に押し込むだけのワンタッチでフロント、バック両ハウジングの固定を、一部材だけの簡潔な構成によって、容易、かつ迅速にでき、組立て作業性を向上できる光コネクタ接続用アダプタを提供することを目的とする。
【０００５】
【課題を解決するための手段】
本発明は、上記目的を達成するために、センターボードを両側から挟んでフロントハウジングとバックハウジングを固定して組立ててなる光コネクタ接続用アダプタにおいて、先端に、側面略截頭円錐形状にして、かつ直径方向に縦長溝を形成して径方向にばね性を与えた係合頭部を一体に設けた複数の止め金具を、その基端をフロントハウジングに固定して立設し、前記止め金具を挿入してセンターボードをフロントハウジングとで挟み込むバックハウジングに貫通形成した止め金具挿入孔の開口部近くの内面に、前記係合頭部と係合する係合段部を設けてなることを特徴とする。
【０００６】
【発明の実施の形態】
以下、本発明に係る光コネクタ接続用アダプタの実施の形態について図面を参照して説明する。
図１は、同上アダプタ全体の縦断面図を示し、図２は、図１の断面位置をＡ−−Ａ線で現わした同上アダプタ全体の平面図を示し、図３は、図２におけるＢ−Ｂ線矢視断面図を示し、図４は、同上アダプタにおける止め金具の拡大斜視図を示し、図５は、同上アダプタの分解斜視図を示し、図６は、同上アダプタの組立て状態の斜視図を示す。
【０００７】
本発明に係る光コネクタ接続用アダプタは、図１ないし図３及び図５並びに図６に示したように、フロントハウジング１と、バックハウジング２と、センターボード３と、二個一対の止め金具４、４とで構成される。
【０００８】
上記フロント、バック両ハウジング１、２は、次のように構成される。
図５に示したように平面横長短形状にして、同一大きさに形成され、中央部には、図示しない光コネクタを両側から嵌合して接続する嵌合孔５、６を各貫通して形成させてある。
【０００９】
上記フロントハウジング１は、次のように構成される。
図１ないし図３に示したように、対角線上の両角部近くに上記止め金具４、４の下端を固定するための係合溝７、７を形成させてある。上記係合溝７、７は、図１及び図３に示したように、上記フロントハウジング１に形成した上端が開口する凹孔７ａと、該凹孔７ａの上端開口部側に対向凹設した水平な上方凹溝７ｂ、７ｂと、上記凹孔７ａの底部側に対向凹設した水平な下方凹溝７ｃ、７ｃとで断面略Ｉ型に形成されていると共に、一側をフロントハウジング１の側壁１ａに、上記止め金具４の下端部を位置合わせして横移動させることで、上記止め金具４が係合固定されるよう構成されている。
【００１０】
上記バックハウジング２は、次のように構成される。
図１及び図３並びに図５に示したように、対角線上の両角部近くにおいて、上記したフロントハウジング１の両係合溝７、７と一致させて止め金具４の挿入孔８、８を貫通して形成させてある。この挿入孔８、８の内径は、後述する止め金具４、４の直径と略同一ないしは、やや大きく形成させてある。
【００１１】
上記挿入孔８、８の開口部側（図１及び図３において上端開口部側）は、該挿入孔８、８の内径より所定寸法だけ大径の凹孔８ａ、８ａに形成することで、該凹孔８ａと挿入孔８との間に、後述する止め金具４の係合頭部１１と係合する上向きの係合段部８ｂが設けられている。
【００１２】
上記センターボード３は、次のように構成される。
図５に示したように、厚肉板状に形成して、その略中央部には、上記したフロント、バック両ハウジング１、２の光コネクタの嵌合孔５、６と対応する光コネクタの嵌合孔３ａを貫通して形成させると共に、該嵌合孔３ａの対角線上の両角部には、止め金具４、４の挿入凹部３ｂ、３ｂを対向形成させてある。
【００１３】
上記止め金具４、４は、次のように構成される。
図１及び図３ないし図５に示したように、円柱状に形成した本体９の下端には、既述フロントハウジング１の係合溝７、７と係合固定される係合部１０を、また上端には、既述バックハウジング２の係合段部８ａと係合する係合頭部１１を各一体に設けて構成される。
【００１４】
上記本体９は、既述バックハウジング２の挿入孔８及びセンターボード３の挿入凹部３ｂに隙間なく挿入可能な直径に形成されている。
【００１５】
上記係合部１０は、図１及び図３並びに図４に示したように、本体９の下端に、三方が直線的に切欠され、既述フロントハウジング１における係合溝７の上方凹溝７ｂに係合される水平な上部フランジ１０ａと、本体９と同軸上において、上記上部フランジ１０ａの下面から下方へ垂設され、既述係合溝７の凹孔７ａに嵌合される小径の軸部１０ｂと、該軸部１０ｂ下端に連設され、三方が直線的に切欠されていて、上記係合溝７の下方凹溝７ｃに係合される水平な下部フランジ１０ｃとで形成され、上記した係合溝７に対し、その側部の開口部７ｄから横方向へ押し込むことで、フロントハウジング１に対し、止め金具４は上方へ突出して垂直状態に固定される。
【００１６】
一方、上記係合頭部１１は、図４に明示したように、側面略截頭円錐形状に形成して、上端の直径を既述バックハウジング２における挿入孔８の内径よりも小さく形成させ、下端の直径を、上記挿入孔８の内径より大きく、かつ挿入孔８上部の凹孔８ａの内径と略同一に各設定して設けることで、下端には、既述係合段部８ｂと係合する下向きの係合部１１ａが形成されている。
【００１７】
さらに、上記係合頭部１１は、その上端から本体９の上部にかけて中心孔１１ｂが設けられると共に、上記係合頭部１１の上端から本体９の上部にかけて、縦長溝１１ｃが直径方向に形成させることで、当該係合頭部１１に径方向のばね性を付与させてある。従って、止め金具４を、既述センターボード３の挿入凹部３ｂ及びバックハウジング２の挿入孔８に軸方向へ押し込むことで、係合頭部１１表部のテーパ面１１ｄが挿入凹部３ｂ、挿入孔８の内面にて中心方向へ押圧されて、係合頭部１１は縮径されることにより、上記挿入凹部３ｂ、挿入孔８内に各挿入され、該係合頭部１１が挿入孔８上部の凹孔８ａまで挿入されると、ばね性により元の状態に拡径されて、その係合部１１ａと既述係合段部８ｂとが互いに係合されることによって、センターボード３を両側から挟んで、フロント、バック両ハウジング１、２は離脱なく固定される。
【００１８】
また、上記係合頭部１１と本体９の上部において、その左右両側部に切欠部１１ｅ、１１ｅを対称に形成させてある。これによって、係合頭部１１の縮径及び拡径が円滑に行なわれ、上記したフロント、バック両ハウジング１、２の固定が容易となる。
【００１９】
さらに、図示していないが、上記係合頭部１１の縦長溝１１ｃの対向間隔を、下端を広く、上端へ行くに従い漸次狭く形成する、つまり係合頭部１１先端を窄めることで、止め金具４のセンターボード３の挿入凹部３ｂ及びバックハウジング２の挿入孔８への押し込みを容易にすることができる。この場合、押し込み完了後、図示しない棒型のツールを止め金具４の中心孔１１ｂへ差し込んで縦長溝１１ｃの対向間隔を元どおり押し広げることとなる。
【００２０】
【発明の効果】
本発明は、以上説明したように構成されているので、止め金具だけの一部材からなる簡潔な構成によって、センターボードを両側から挟んでフロント、バック両ハウジングの固定を容易、かつ迅速にして効率良く行なうことができ、その結果、光コネクタ接続用アダプタの組立て効率をさらに向上できる。
【図面の簡単な説明】
【図１】本発明に係る光コネクタ接続用アダプタを示す縦断面図である。
【図２】同上アダプタにおける図１の断面位置を矢印Ａ−Ａ線で現わした平面図である。
【図３】図２におけるＢ−Ｂ線矢視断面図である。
【図４】同上アダプタの止め金具を示す斜視図である。
【図５】同上アダプタの分解斜視図である。
【図６】同上アダプタ全体の斜視図である。
【図７】従来の光コネクタ接続用アダプタを示す分解斜視図である。
【符号の説明】
１        フロントハウジング
２        バックハウジング
３        センターボード
４        止め金具
８        挿入孔
８ｂ      係合段部
１１      係合頭部
１１ｃ    縦長溝
【図１】
0004588943.tif 000002
【図２】
0004588943.tif 000003
【図３】
0004588943.tif 000004
【図４】
0004588943.tif 000005
【図５】
0004588943.tif 000006
【図６】
0004588943.tif 000007
【図７】
0004588943.tif 000008